(57)【要約】【課題】  ユーザに煩わしい操作を要求することなく、データ記録媒体に記録されているデータの、データ記録媒体上の相互の配置を維持する。【解決手段】  再生制御部８２は、光ディスクに記録されているデータの属性を示すARI_DATAの光ディスクからの読み出しを制御する。データ方式判定部８６は、読み出されたARI_DATAを基に、光ディスクに記録されているデータが、フォトムービーであるか否かを判定する。削除制御部８３は、光ディスクに記録されているデータがフォトムービーであると判定された場合、光ディスクからフォトムービーを削除するように、光ディスクからのデータの削除を制御する。本発明はカムコーダに適用できる。【選択図】  図２
2006186913.tif 000002
【特許請求の範囲】
【請求項１】
データ記録媒体に記録されているデータの属性を示す属性データの前記データ記録媒体からの読み出しを制御する読み出し制御手段と、
読み出された前記属性データを基に、前記データ記録媒体に記録されているデータが、１つの静止画像を予め定めた時間表示させるか、または複数の静止画像のそれぞれを予め定めた時間毎に、予め定めた順序で表示させるための表示データであるか否かを判定する判定手段と、
前記データ記録媒体に記録されているデータが前記表示データであると判定された場合、前記データ記録媒体から前記表示データを削除するように、前記データ記録媒体からのデータの削除を制御する削除制御手段と
を含むことを特徴とする記録装置。
【請求項２】
前記判定手段は、前記データ記録媒体の論理的な記録空間の最も後ろに記録されているデータが前記表示データであるか否かを判定し、
前記削除制御手段は、前記データ記録媒体の論理的な記録空間の最も後ろに記録されている前記表示データを削除するように、前記データ記録媒体からのデータの削除を制御する
ことを特徴とする請求項１に記載の記録装置。
【請求項３】
前記読み出し制御手段は、前記データ記録媒体が装着された場合、または自分が起動された場合、前記データ記録媒体の論理的な記録空間の最も後ろに記録されているデータの属性を示す前記属性データを前記データ記録媒体からの読み出すように、前記属性データの前記データ記録媒体からの読み出しを制御し、
前記削除制御手段は、前記データ記録媒体が装着された場合、または自分が起動された場合、前記データ記録媒体に記録されているデータが前記表示データであると判定されたとき、前記データ記録媒体の論理的な記録空間の最も後ろに記録されている前記表示データを削除するように、前記データ記録媒体からのデータの削除を制御する
ことを特徴とする請求項２に記載の記録装置。
【請求項４】
前記データ記録媒体に記録されているデータが前記表示データであると判定された場合、ユーザからの前記表示データの削除の指示を取得するための画像を表示させるように、画像の表示を制御する表示制御手段を更に含み、
前記削除制御手段は、前記表示データの削除が指示された場合、前記データ記録媒体から前記表示データを削除するように、前記データ記録媒体からのデータの削除を制御する
ことを特徴とする請求項１に記載の記録装置。
【請求項５】
前記ユーザから前記表示データの削除が指示されなかった場合、前記データ記録媒体へのデータの記録を抑制するように前記データ記録媒体への記録を制御する記録制御手段をさらに含み、
前記削除制御手段は、前記ユーザから前記表示データの削除が指示されなかった場合、前記データ記録媒体から前記表示データを削除しないように、前記データ記録媒体からのデータの削除を制御する
ことを特徴とする請求項４に記載の記録装置。
【請求項６】
データ記録媒体に記録されているデータの属性を示す属性データの前記データ記録媒体からの読み出しを制御する読み出し制御ステップと、
読み出された前記属性データを基に、前記データ記録媒体に記録されているデータが、１つの静止画像を予め定めた時間表示させるか、または複数の静止画像のそれぞれを予め定めた時間毎に、予め定めた順序で表示させるための表示データであるか否かを判定する判定ステップと、
前記データ記録媒体に記録されているデータが前記表示データであると判定された場合、前記データ記録媒体から前記表示データを削除するように、前記データ記録媒体からのデータの削除を制御する削除制御ステップと
を含むことを特徴とする記録方法。
【請求項７】
データ記録媒体に記録されているデータの属性を示す属性データの前記データ記録媒体からの読み出しを制御する読み出し制御ステップと、
読み出された前記属性データを基に、前記データ記録媒体に記録されているデータが、１つの静止画像を予め定めた時間表示させるか、または複数の静止画像のそれぞれを予め定めた時間毎に、予め定めた順序で表示させるための表示データであるか否かを判定する判定ステップと、
前記データ記録媒体に記録されているデータが前記表示データであると判定された場合、前記データ記録媒体から前記表示データを削除するように、前記データ記録媒体からのデータの削除を制御する削除制御ステップと
を含むことを特徴とする記録処理をコンピュータに実行させるプログラムが記録されている記録媒体。
【請求項８】
データ記録媒体に記録されているデータの属性を示す属性データの前記データ記録媒体からの読み出しを制御する読み出し制御ステップと、
読み出された前記属性データを基に、前記データ記録媒体に記録されているデータが、１つの静止画像を予め定めた時間表示させるか、または複数の静止画像のそれぞれを予め定めた時間毎に、予め定めた順序で表示させるための表示データであるか否かを判定する判定ステップと、
前記データ記録媒体に記録されているデータが前記表示データであると判定された場合、前記データ記録媒体から前記表示データを削除するように、前記データ記録媒体からのデータの削除を制御する削除制御ステップと
をコンピュータに実行させることを特徴とするプログラム。
【発明の詳細な説明】
【技術分野】
【０００１】
本発明は記録装置および方法、記録媒体、並びにプログラムに関し、特に、データ記録媒体にデータを記録する記録装置および方法、記録媒体、並びにプログラムに関する。
【背景技術】
【０００２】
DVD（Digital Versatile Disc）に画像または音声のデータを記録するDVDレコーダ、または撮影した画像または音声のデータをDVDに記録するDVDカムコーダが利用されている。
【０００３】
DVDレコーダまたはDVDカムコーダには、ファイナライズまたは編集の処理において、静止画像を表示するためのデータを、MPEG（Moving Pictures Experts Group）方式のＩ（Intra）ピクチャからなり、静止画像を表示するためのデータ（以下、フォトムービーと称する）に変換するものもある。DVDプレーヤは、フォトムービーを再生することができる。フォトムービーを再生するDVDプレーヤは、変換の元になったデータで表示される静止画像を、数秒ごとに切り替えて表示させる。
【０００４】
なお、DVDにフォトムービーを記録させるDVD上の位置は、DVDレコーダまたはDVDカムコーダの機種毎に異なる。さらに、同じ機種のDVDレコーダまたはDVDカムコーダであっても、DVDのフォーマットが変わると、DVDにフォトムービーを記録させるDVD上の位置が変わる。
【０００５】
また、DVD+RWビデオレコーディングフォーマットでフォーマットされているDVD+RWに、フォトムービーを記録することができる。
【０００６】
従来、圧縮された画像情報の、記録媒体に対する書き込みおよび読み出しの単位である読み書き単位の情報には、画像情報の１フレーム（または１フィールド）からなる復号再生単位の情報を複数単位分含むと共に、少なくとも１個の復号再生単位の情報は、当該復号再生単位内の画像情報のみを用いて圧縮符号化したものとし、読み書き単位の情報内に、読み書き単位内の複数単位分の復号再生単位の情報についての付加情報を、圧縮された画像情報とは分離して抽出可能に多重化して記録するようにしているものもある（例えば、特許文献１参照）。
【０００７】
【特許文献１】特開２００４−３１２６６３号公報
【発明の開示】
【発明が解決しようとする課題】
【０００８】
しかしながら、再生側からみると、動画像を表示させるためのデータと、フォトムービーとは区別できない。
【０００９】
また、動画像を表示させるためのデータに対して実行を許可したい処理および禁止したい処理と、フォトムービーに対して実行を許可したい処理および禁止したい処理とを区別したいという要求がある。
【００１０】
動画像を表示させるためのデータと、フォトムービーとを区別できないので、動画像を表示させるためのデータに対して実行を許可したい処理および禁止したい処理と、フォトムービーに対して実行を許可したい処理および禁止したい処理とを区別できないという問題があった。逆に、対象となるデータがフォトムービーである場合だけ、または、対象となるデータが動画像を表示させるためのデータである場合だけ、そのデータに対して所定の処理を適用することはできなかった。
【００１１】
また、特に、光ディスクである、データを追記できるDVDの記録領域の最後にだけフォトムービーを記録するように、DVDに記録されているデータの配置を定めても、定めたデータの配置を維持することができなかった。
【００１２】
本発明のこのような状況に鑑みてなされたものであり、ユーザに煩わしい操作を要求することなく、例えば、光ディスクなどのデータ記録媒体に記録されているデータの、データ記録媒体上の相互の配置を維持することができるようにするものである。
【課題を解決するための手段】
【００１３】
本発明の記録装置は、データ記録媒体に記録されているデータの属性を示す属性データのデータ記録媒体からの読み出しを制御する読み出し制御手段と、読み出された属性データを基に、データ記録媒体に記録されているデータが、１つの静止画像を予め定めた時間表示させるか、または複数の静止画像のそれぞれを予め定めた時間毎に、予め定めた順序で表示させるための表示データであるか否かを判定する判定手段と、データ記録媒体に記録されているデータが表示データであると判定された場合、データ記録媒体から表示データを削除するように、データ記録媒体からのデータの削除を制御する削除制御手段とを含むことを特徴とする。
【００１４】
判定手段は、データ記録媒体の論理的な記録空間の最も後ろに記録されているデータが表示データであるか否かを判定し、削除制御手段は、データ記録媒体の論理的な記録空間の最も後ろに記録されている表示データを削除するように、データ記録媒体からのデータの削除を制御するようにすることができる。
【００１５】
読み出し制御手段は、データ記録媒体が装着された場合、または自分が起動された場合、データ記録媒体の論理的な記録空間の最も後ろに記録されているデータの属性を示す属性データをデータ記録媒体からの読み出すように、属性データのデータ記録媒体からの読み出しを制御し、削除制御手段は、データ記録媒体が装着された場合、または自分が起動された場合、データ記録媒体に記録されているデータが表示データであると判定されたとき、データ記録媒体の論理的な記録空間の最も後ろに記録されている表示データを削除するように、データ記録媒体からのデータの削除を制御するようにすることができる。
【００１６】
記録装置は、データ記録媒体に記録されているデータが表示データであると判定された場合、ユーザからの表示データの削除の指示を取得するための画像を表示させるように、画像の表示を制御する表示制御手段を更に設け、削除制御手段は、表示データの削除が指示された場合、データ記録媒体から表示データを削除するように、データ記録媒体からのデータの削除を制御するようにすることができる。
【００１７】
記録装置は、ユーザから表示データの削除が指示されなかった場合、データ記録媒体へのデータの記録を抑制するようにデータ記録媒体への記録を制御する記録制御手段をさらに設け、削除制御手段は、ユーザから表示データの削除が指示されなかった場合、データ記録媒体から表示データを削除しないように、データ記録媒体からのデータの削除を制御するようにすることができる。
【００１８】
本発明の記録方法は、データ記録媒体に記録されているデータの属性を示す属性データのデータ記録媒体からの読み出しを制御する読み出し制御ステップと、読み出された属性データを基に、データ記録媒体に記録されているデータが、１つの静止画像を予め定めた時間表示させるか、または複数の静止画像のそれぞれを予め定めた時間毎に、予め定めた順序で表示させるための表示データであるか否かを判定する判定ステップと、データ記録媒体に記録されているデータが表示データであると判定された場合、データ記録媒体から表示データを削除するように、データ記録媒体からのデータの削除を制御する削除制御ステップとを含むことを特徴とする。
【００１９】
本発明の記録媒体のプログラムは、データ記録媒体に記録されているデータの属性を示す属性データのデータ記録媒体からの読み出しを制御する読み出し制御ステップと、読み出された属性データを基に、データ記録媒体に記録されているデータが、１つの静止画像を予め定めた時間表示させるか、または複数の静止画像のそれぞれを予め定めた時間毎に、予め定めた順序で表示させるための表示データであるか否かを判定する判定ステップと、データ記録媒体に記録されているデータが表示データであると判定された場合、データ記録媒体から表示データを削除するように、データ記録媒体からのデータの削除を制御する削除制御ステップとを含むことを特徴とする。
【００２０】
本発明のプログラムは、データ記録媒体に記録されているデータの属性を示す属性データのデータ記録媒体からの読み出しを制御する読み出し制御ステップと、読み出された属性データを基に、データ記録媒体に記録されているデータが、１つの静止画像を予め定めた時間表示させるか、または複数の静止画像のそれぞれを予め定めた時間毎に、予め定めた順序で表示させるための表示データであるか否かを判定する判定ステップと、データ記録媒体に記録されているデータが表示データであると判定された場合、データ記録媒体から表示データを削除するように、データ記録媒体からのデータの削除を制御する削除制御ステップとをコンピュータに実行させることを特徴とする。
【００２１】
本発明の記録装置および方法、記録媒体、並びにプログラムにおいては、データ記録媒体に記録されているデータの属性を示す属性データのデータ記録媒体からの読み出しが制御され、読み出された属性データを基に、データ記録媒体に記録されているデータが、１つの静止画像を予め定めた時間表示させるか、または複数の静止画像のそれぞれを予め定めた時間毎に、予め定めた順序で表示させるための表示データであるか否かが判定され、データ記録媒体に記録されているデータが表示データであると判定された場合、データ記録媒体から表示データを削除するように、データ記録媒体からのデータの削除が制御される。
【００２２】
記録装置は、独立した装置であっても良いし、記録再生装置の記録処理を行うブロックであっても良い。
【発明の効果】
【００２３】
以上のように、本発明によれば、データ記録媒体に記録されているデータを識別することができる。
【００２４】
また、本発明によれば、ユーザに煩わしい操作を要求することなく、データ記録媒体に記録されているデータの、データ記録媒体上の相互の配置を維持することができる。
【発明を実施するための最良の形態】
【００２５】
以下に本発明の実施の形態を説明するが、請求項に記載の構成要件と、発明の実施の形態における具体例との対応関係を例示すると、次のようになる。この記載は、請求項に記載されている発明をサポートする具体例が、発明の実施の形態に記載されていることを確認するためのものである。従って、発明の実施の形態中には記載されているが、構成要件に対応するものとして、ここには記載されていない具体例があったとしても、そのことは、その具体例が、その構成要件に対応するものではないことを意味するものではない。逆に、具体例が構成要件に対応するものとしてここに記載されていたとしても、そのことは、その具体例が、その構成要件以外の構成要件には対応しないものであることを意味するものでもない。
【００２６】
さらに、この記載は、発明の実施の形態に記載されている具体例に対応する発明が、請求項に全て記載されていることを意味するものではない。換言すれば、この記載は、発明の実施の形態に記載されている具体例に対応する発明であって、この出願の請求項には記載されていない発明の存在、すなわち、将来、分割出願されたり、補正により追加される発明の存在を否定するものではない。
【００２７】
請求項１に記載の記録装置は、データ記録媒体（例えば、図１の光ディスク１７）に記録されているデータの属性を示す属性データ（例えば、ARI_DATA）のデータ記録媒体からの読み出しを制御する読み出し制御手段（例えば、図２の再生制御部８２）と、読み出された属性データを基に、データ記録媒体に記録されているデータが、１つの静止画像を予め定めた時間表示させるか、または複数の静止画像のそれぞれを予め定めた時間毎に、予め定めた順序で表示させるための表示データ（例えば、フォトムービー）であるか否かを判定する判定手段（例えば、図２のデータ方式判定部８６）と、データ記録媒体に記録されているデータが表示データであると判定された場合、データ記録媒体から表示データを削除するように、データ記録媒体からのデータの削除を制御する削除制御手段（例えば、図２の削除制御部８３）とを含むことを特徴とする。
【００２８】
データ記録媒体に記録されているデータが表示データであると判定された場合、ユーザからの表示データの削除の指示を取得するための画像を表示させるように、画像の表示を制御する表示制御手段（例えば、図２の表示制御手段８８）を更に設け、削除制御手段は、表示データの削除が指示された場合、データ記録媒体から表示データを削除するように、データ記録媒体からのデータの削除を制御するようにすることができる。
【００２９】
ユーザから表示データの削除が指示されなかった場合、データ記録媒体へのデータの記録を抑制するようにデータ記録媒体への記録を制御する記録制御手段（例えば、図２の記録再生制御部７１）をさらに設け、削除制御手段は、ユーザから表示データの削除が指示されなかった場合、データ記録媒体から表示データを削除しないように、データ記録媒体からのデータの削除を制御するようにすることができる。
【００３０】
請求項６に記載の記録方法は、データ記録媒体（例えば、図１の光ディスク１７）に記録されているデータの属性を示す属性データ（例えば、ARI_DATA）のデータ記録媒体からの読み出しを制御する読み出し制御ステップ（例えば、図９のステップＳ３３の処理）と、読み出された属性データを基に、データ記録媒体に記録されているデータが、１つの静止画像を予め定めた時間表示させるか、または複数の静止画像のそれぞれを予め定めた時間毎に、予め定めた順序で表示させるための表示データ（例えば、フォトムービー）であるか否かを判定する判定ステップ（例えば、図９のステップＳ３４の処理）と、データ記録媒体に記録されているデータが表示データであると判定された場合、データ記録媒体から表示データを削除するように、データ記録媒体からのデータの削除を制御する削除制御ステップ（例えば、図９のステップＳ３８の処理）とを含むことを特徴とする。
【００３１】
請求項８に記載のプログラムは、データ記録媒体（例えば、図１の光ディスク１７）に記録されているデータの属性を示す属性データ（例えば、ARI_DATA）のデータ記録媒体からの読み出しを制御する読み出し制御ステップ（例えば、図９のステップＳ３３の処理）と、読み出された属性データを基に、データ記録媒体に記録されているデータが、１つの静止画像を予め定めた時間表示させるか、または複数の静止画像のそれぞれを予め定めた時間毎に、予め定めた順序で表示させるための表示データ（例えば、フォトムービー）であるか否かを判定する判定ステップ（例えば、図９のステップＳ３４の処理）と、データ記録媒体に記録されているデータが表示データであると判定された場合、データ記録媒体から表示データを削除するように、データ記録媒体からのデータの削除を制御する削除制御ステップ（例えば、図９のステップＳ３８の処理）とをコンピュータに実行させることを特徴とする。
【００３２】
プログラムは、記録媒体（例えば、図１の磁気ディスク４１）に記録することができる。
【００３３】
図１は、本発明に係る記録再生装置の一実施の形態の構成を示すブロック図である。この記録再生装置は、装着されている光ディスクに各種のデータを記録するか、または装着されている光ディスクに記録されているデータを読み出して再生する。例えば、記録再生装置は、据え置き式のレコーダ、または動画像若しくは静止画像を撮影する撮影機能付きのレコーダ、いわゆるカムコーダとすることができる。
【００３４】
制御部１１は、記録再生装置の全体を制御する。例えば、制御部１１は、入力部１２から供給された、ユーザの指令を示す信号を基に、記録再生装置による、装着されている光ディスク１７へのデータの記録または光ディスク１７からのデータの読み出しを制御する。
【００３５】
入出力信号制御部１３は、制御部１１の制御の基に、外部から供給されるデータの入力を制御するか、または外部へのデータの出力を制御する。また、入出力信号制御部１３は、制御部１１の制御の基に、符号化復号部１４から供給された画像（画像データ）をキャプチャし、キャプチャした画像（画像データ）を符号化復号部１４に供給する。すなわち、入出力信号制御部１３は、符号化復号部１４から供給された画像（画像データ）を取得して、内蔵されているメモリに取得した画像（画像データ）を記憶する。そして、入出力信号制御部１３は、記憶している画像（画像データ）を符号化復号部１４に供給する。
【００３６】
例えば、入出力信号制御部１３は、図示せぬプラズマディスプレイまたはLCD（Liquid Crystal Display）などの表示装置に表示のためのデータを供給して、表示装置に画像を表示させる。
【００３７】
符号化復号部１４は、制御部１１の制御の基に、静止画像または動画像の画像データを所定の方式で符号化する。また、符号化復号部１４は、制御部１１の制御の基に、所定の方式で符号化されている静止画像または動画像の画像データを復号する。例えば、符号化復号部１４は、JPEG（Joint Photographic Experts Group）方式で符号化されている静止画像の画像データを復号する。また、例えば、符号化復号部１４は、画像データを、MPEG方式のIピクチャとして符号化し、静止画像を予め定めた時間表示させる画像データであるフォトムービーを生成する。
【００３８】
ここで、フォトムービーは、１つの静止画像を予め定めた時間表示させるか、または複数の静止画像のそれぞれを予め定めた時間毎に、予め定めた順序で表示させるためのデータである。
【００３９】
符号化復号部１４は、フォトムービーに含まれる、MPEG方式のIピクチャとして符号化されているデータを復号する。
【００４０】
さらに、符号化復号部１４は、入出力信号制御部１３から供給された、動画像を表示させるための画像データおよび音声を出力させるための音声データを、それぞれ、MPEG方式で符号化する。符号化復号部１４は、符号化の結果得られた画像データおよび音声データを多重化して、多重化されている画像データおよび音声データをストリームとして出力する。
【００４１】
ワークメモリ１５は、SRAM（Static Random Access Memory）またはSDRAM（Dynamic Random Access Memory）などの半導体メモリからなり、制御部１１の制御の基に、ドライブ１６から供給されたデータまたは符号化復号部１４から供給されたデータを一時的に記憶する。ワークメモリ１５は、制御部１１の制御の基に、記憶しているデータをドライブ１６または符号化復号部１４に供給する。
【００４２】
ドライブ１６は、制御部１１の制御の基に、ワークメモリ１５から供給されたデータを、装着されている光ディスク１７に書き込むか、または装着されている光ディスク１７からデータを読み出して、ワークメモリ１５に供給する。
【００４３】
また、フラッシュメモリ１８は、記録再生装置に内蔵されるか、またはリムーバブルメディアとして、着脱自在に記録再生装置に装着される。フラッシュメモリ１８は、入出力信号制御部１３を介して、記憶している静止画像の画像データを符号化復号部１４に供給する。
【００４４】
制御部１１は、プロセッサ１３、ROM（Read Only Memory）３２、RAM（Random Access Memory）３３、入出力インターフェース３４、およびバス３５から構成される。プロセッサ１３は、汎用のCPU（Central Processing Unit）、汎用のMPU（Micro Processing Unit）、または専用のCPUからなり、ROM３２またはRAM３３に記憶されているプログラムを実行して、記録再生装置の全体を制御する。
【００４５】
例えば、ROM３２またはRAM３３に記憶されているプログラムを実行するプロセッサ１３は、ROM３２またはRAM３３に記憶されているデータまたは、符号化復号部１４若しくはドライブ１６から供給される信号を基に、入出力信号制御部１３、符号化復号部１４、ワークメモリ１５およびドライブ１６を制御する。
【００４６】
また、プロセッサ１３は、入出力インターフェース３４およびバス３５を介して、入力部１２から供給された、ユーザの指令を示す信号を基に、入出力信号制御部１３、符号化復号部１４、ワークメモリ１５およびドライブ１６を制御する。
【００４７】
例えば、プロセッサ１３は、入出力信号制御部１３のデータの入力および出力を制御する。より具体的には、プロセッサ１３は、入出力信号制御部１３に、符号化復号部１４から供給された画像（画像データ）をキャプチャさせ、キャプチャした画像（画像データ）を符号化復号部１４に供給させる。
【００４８】
また、例えば、プロセッサ１３は、符号化復号部１４の符号化または復号の開始または停止を制御する。より具体的には、プロセッサ１３は、符号化復号部１４に、JPEG方式で符号化されている静止画像の画像データの復号を開始させるか、停止させる。また、プロセッサ１３は、符号化復号部１４に、画像データのMPEG方式のIピクチャとしての符号化を開始させるかまたは停止させる。
【００４９】
さらに、例えば、プロセッサ１３は、ワークメモリ１５のデータの記憶を制御する。より詳細には、プロセッサ１３は、ワークメモリ１５の任意のアドレスの記憶領域に、ドライブ１６から供給されたデータまたは符号化復号部１４から供給されたデータを一時的に記憶させる。
【００５０】
また、例えば、プロセッサ１３は、ドライブ１６の光ディスク１７へのデータの書き込みおよび光ディスク１７からのデータの読み出しを制御する。
【００５１】
ROM３２は、フラッシュメモリなどのEEPROM（Electrically Erasable Programmable Read Only Memory））からなり、プロセッサ１３に実行されるプログラムおよびプログラムの実行に必要な固定のパラメータである各種のパラメータを記憶する。RAM３３は、プロセッサ１３に実行されるプログラムおよびプログラムの実行に必要な変化する作業データや変化する各種のパラメータを記憶する。
【００５２】
入出力インターフェース３４は、入力部１２からのユーザの指令を示す信号などの、外部から入力されたデータを取得し、プロセッサ３１の処理結果などのデータを外部に出力する。例えば、入出力インターフェース３４は、プロセッサ３１により実行される、更新されたプログラムを取得する。
【００５３】
バス３５は、プロセッサ１３、ROM３２、RAM３３、および入出力インターフェース３４を相互に接続する。
【００５４】
プロセッサ３１により実行されるプログラムは、入出力インターフェース３４を介して取得されるだけでなく、ドライブ１６に、装着されている光ディスク１７から読み出させたり、または、装着されている磁気ディスク４１、光磁気ディスク４２、若しくは半導体メモリ４３から読み出させることにより、取得される。光ディスク１７、磁気ディスク４１、光磁気ディスク４２、または半導体メモリ４３から読み出されたプログラムは、例えば、ROM３２に記憶されて、プロセッサ３１に実行される。
【００５５】
図２は、プログラムを実行するプロセッサ３１により実現される機能である記録再生制御部７１の構成を示すブロック図である。記録再生制御部７１は、記録制御部８１、再生制御部８２、削除制御部８３、種別判定部８４、ARI_DATA解読部８５、データ方式判定部８６、入力制御部８７、および表示制御部８８を含む。
【００５６】
記録制御部８１は、入出力信号制御部１３、符号化復号部１４、ワークメモリ１５、およびドライブ１６を制御して、装着されている光ディスク１７へのデータの記録を制御する。再生制御部８２は、入出力信号制御部１３、符号化復号部１４、ワークメモリ１５、およびドライブ１６を制御して、装着されている光ディスク１７からのデータの読み出しと、読み出されたデータの再生を制御する。
【００５７】
削除制御部８３は、ドライブ１６を制御して、装着されている光ディスク１７に記録されているデータのうちの、所定のデータの削除を制御する。
【００５８】
種別判定部８４は、ドライブ１６から供給された、光ディスク１７に記録されているデータおよび光ディスク１７の反射率や光ディスク１７からの信号の周波数などの光ディスク１７の駆動に関するパラメータを基に、光ディスク１７の物理的な方式、および光ディスク１７のフォーマットの方式である光ディスク１７の種別を判定する。
【００５９】
ARI_DATA解読部８５は、光ディスク１７に記録されているデータについての付加データ（付加情報）であって、光ディスク１７から読み出された付加データであるARI_DATAを解読する。付加情報ARI_DATAの詳細は後述する。
【００６０】
ARI_DATA解読部８５は、ARI_DATAの解読の結果として、光ディスク１７に記録されているデータの内容を示すデータ（メタデータ）を出力する。
【００６１】
データ方式判定部８６は、光ディスク１７に記録されているデータが、所定の方式であるか否かを判定する。例えば、データ方式判定部８６は、光ディスク１７に記録されているデータが、フォトムービーであるか否かを判定する。
【００６２】
入力制御部８７は、入出力インターフェース３４による、入力部１２から供給された、ユーザの指令を示す信号の入力を制御する。表示制御部８８は、入出力信号制御部１３に接続されている表示装置（図示せず）への画像の表示を制御する。
【００６３】
次に、図３のフローチャートを参照して、記録再生装置によるフォトムービーの記録の処理を説明する。ステップＳ１において、記録制御部８１は、符号化復号部１４を、静止画像を表示させるための画像データである静止画像データをデコード（復号）し、外部に出力する状態に遷移させる。これにより、例えば、JPEG方式で符号化されている静止画像データが供給されてくると、符号化復号部１４は、JPEG方式で符号化されている静止画像データを復号して、復号した結果得られた、符号化されていない、いわゆるベースバンドの静止画像データを出力する。
【００６４】
ステップＳ２において、記録制御部８１は、入出力信号制御部１３を、符号化復号部１４からのデータを入力する状態に遷移させる。これにより、符号化復号部１４からベースバンドの静止画像データが供給されてくると、入出力信号制御部１３は、ベースバンドの静止画像データを入力する。
【００６５】
ステップＳ３において、記録制御部８１は、ドライブ１６に、装着されている光ディスク１７から、記録されている静止画像データであって、JPEG方式などの所定の符号化方式で符号化されている静止画像データを読み出させる。ドライブ１６は、光ディスク１７から、読み出した符号化されている静止画像データをワークメモリ１５に供給する。ワークメモリ１５は、ドライブ１６から供給された静止画像データを記憶する。
【００６６】
なお、記録制御部８１は、フラッシュメモリ１８など他の記録媒体から符号化されている静止画像データを読み出すようにしてもよい。
【００６７】
ステップＳ４において、記録制御部８１は、符号化復号部１４に、ワークメモリ１５から記憶されている静止画像データを取得させ、取得した静止画像データを復号させる。そして、記録制御部８１は、符号化復号部１４に、復号の結果得られた、符号化されていない、いわゆるベースバンドの静止画像データを入出力信号制御部１３に出力させる。
【００６８】
ステップＳ５において、記録制御部８１は、入出力信号制御部１３に、画像をキャプチャさせる。すなわち、ステップＳ５において、入出力信号制御部１３は、符号化復号部１４から供給されたベースバンドの静止画像データを取得して、入出力信号制御部１３に内蔵されているメモリに、取得した静止画像データに応じた画像データを記憶することにより、画像をキャプチャする。
【００６９】
ステップＳ６において、記録制御部８１は、入出力信号制御部１３に、キャプチャした画像を符号化復号部１４に出力させる。例えば、ステップＳ６において、入出力信号制御部１３は、記憶している画像データを時間的に継続して符号化復号部１４に出力する。入出力信号制御部１３から出力される画像データは、時間的に変化しない画像を、所定の期間表示させるデータである。
【００７０】
ステップＳ７において、記録制御部８１は、符号化復号部１４に、入出力信号制御部１３から出力されてきた、キャプチャされた画像、すなわち、画像データを符号化させる。ステップＳ７において、符号化復号部１４は、入出力信号制御部１３から出力されてきた画像データを、MPEG方式のIピクチャとして符号化する。
【００７１】
符号化復号部１４は、符号化した画像データであるMPEG方式のIピクチャのデータをワークメモリ１５に供給する。
【００７２】
ステップＳ８において、記録制御部８１は、ワークメモリ１５に、符号化復号部１４から供給された符号化した画像データであるIピクチャのデータを記憶させる。例えば、ワークメモリ１５は、記録制御部８１から指定されたアドレスに、符号化した画像データであるIピクチャのデータを記憶する。
【００７３】
ステップＳ９において、記録制御部８１は、ワークメモリ１５の記憶しているIピクチャのデータの所定の位置に、ナビゲーションパックNV_PCKおよび付加情報パックARI_PCKを書き込む。NV_PCKおよびARI_PCKは、光ディスク１７に記録しようとするIピクチャに対する付加データである。NV_PCKおよびARI_PCKの詳細については後述する。
【００７４】
例えば、ステップＳ９において、記録制御部８１は、ワークメモリ１５の、Iピクチャのデータが記憶されているアドレスの直前のアドレスの領域に、NV_PCKおよびARI_PCKを書き込む。
【００７５】
ステップＳ１０において、記録制御部８１は、ドライブ１６に、ワークメモリ１５に記憶されている、NV_PCKおよびARI_PCKが付加されたIピクチャのデータを光ディスク１７に書き込ませる。例えば、ステップＳ１０において、記録制御部８１は、ドライブ１６に、NV_PCKおよびARI_PCKが付加されたIピクチャのデータを光ディスク１７の所定の記録領域に書き込ませる。より具体的には、ステップＳ１０において、ドライブ１６は、光ディスク１７の記録領域のうちの、既にデータが記録されている領域の後の領域に、NV_PCKおよびARI_PCKが付加されたIピクチャのデータを書き込む。例えば、ドライブ１６は、光ディスク１７の論理的な記録空間の最も後ろに、NV_PCKおよびARI_PCKが付加されたIピクチャのデータを書き込む。
【００７６】
ステップＳ１１において、記録制御部８１は、Iピクチャのデータを予め定めた所定の回数繰り返し記録したか否かを判定し、Iピクチャのデータを予め定めた回数繰り返し記録していないと判定された場合、予め定めた回数繰り返しIピクチャのデータを記録するために、ステップＳ７に戻り、上述した処理を繰り返す。
【００７７】
なお、ステップＳ７乃至ステップＳ１０の処理を繰り返すのは、同じ画像を表示させるためのIピクチャのデータであっても、付加されるタイムスタンプＰＴＳが異なるIピクチャのデータを光ディスク１７に記録させるためである。タイムスタンプＰＴＳについては後述する。
【００７８】
このように、Iピクチャのデータを予め定めた回数繰り返し記録することにより、光ディスク１７に、フォトムービーが記録されることになる。
【００７９】
ステップＳ１１において、Iピクチャのデータを予め定めた回数繰り返し記録したと判定された場合、ステップＳ１２に進み、記録制御部８１は、全ての静止画像データを変換したか否かを判定する。ステップＳ１２において、全ての静止画像データを変換していないと判定された場合、ステップＳ３に戻り、次の静止画像データについて、上述した処理を繰り返す。
【００８０】
ステップＳ１２において、全ての静止画像データを変換したと判定された場合、処理は終了する。
【００８１】
このように、静止画像データに応じたフォトムービーが光ディスク１７に記録される。
【００８２】
次に、図４乃至図６を参照して、ARI_DATA、NV_PCK、およびARI_PCKについて説明する。
【００８３】
まず、DVD+RWビデオレコーディングフォーマットについて説明する。DVD+RWビデオレコーディングフォーマットによる光ディスク１７上における記録データの論理配置は、図４に示すようなものとなる。
【００８４】
すなわち、光ディスクの記録エリアは、図４Ａに示すように、光ディスクの半径方向に見て、最内周側から、順に、リードインエリア、データゾーンエリア、リードアウトエリアに区分けされる。そして、データゾーンエリアに、管理情報および画像データ等のデータが記録される。
【００８５】
データゾーンエリアは、リードインエリア側から、順に、ＵＤＦ（ＵｎｉｖｅｒｓａｌＤｉｓｃ Ｆｏｒｍａｔ）エリア、ＶＭＧ（Ｖｉｄｅｏ ＭａｎａＧｅｒ）エリア、リアルタイムデータ記録エリアに区分けされる。ＵＤＦエリアおよびＶＭＧエリアは、光ディスク１７に記録された画像データ等のファイルを管理する管理用情報の記録エリアである。ＵＤＦエリアは、ＵＤＦ規格とＩＳＯ９６６０規格をサポートすることにより、コンピュータで光ディスク１７を読むことができるようにするためのものである。ＶＭＧエリアは、ＤＶＤ管理用情報の記録エリアである。
【００８６】
リアルタイムデータ記録エリアは、画像データや音声データを記録するエリアであり、図４Ｂに示すように、ＶＴＳ（Ｖｉｄｅｏ Ｔｉｔｌｅ Ｓｅｔ）と呼ばれるデータ群を単位として、データの記録がなされる。
【００８７】
ＶＴＳは、図４Ｃに示すように、ＶＴＳＩ（Ｖｉｄｅｏ Ｔｉｔｌｅ Ｓｅｔ Ｉｎｆｏｒｍａｔｉｏｎ）と、ＶＴＳＭ＿ＶＯＢＳ（Ｖｉｄｅｏ Ｏｂｊｅｃｔ ＳｅｔＦｏｒ ｔｈｅ ＶＴＳＭ）と、ＶＴＳＴＴ＿ＶＯＢＳ（Ｖｉｄｅｏ Ｏｂｊｅｃｔ Ｓｅｔ Ｆｏｒ Ｔｉｔｌｅｓ ｉｎ ａ ＶＴＳ）と、ＶＴＳＩ＿ＢＵＰ（Ｂａｃｋｕｐｏｆ ＶＴＳＩ）とからなる。
【００８８】
ＶＴＳＴＴ＿ＶＯＢＳには、図４Ｄに示すように、ＭＰＥＧ２−ＰＳフォーマットの圧縮データが、ＶＯＢＵ（Ｖｉｄｅｏ Ｏｂｊｅｃｔ Ｕｎｉｔ）と呼ばれる情報ブロックを読み書き単位として記録される。ＶＯＢＵ内には、画像データは、少なくとも１枚のＩピクチャを包含する１ＧＯＰが含まれ、音声データは、当該１ＧＯＰに対応する情報が含まれる。つまり、光ディスクには、１ＧＯＰ単位でデータが読み書きされることに等しい。そして、この実施形態では、後述するように、ＶＯＢＵには、１ＧＯＰの画像データについての付加情報も含まれる。
【００８９】
ＶＴＳＩには、画像データ等の記録位置情報等の管理情報が記録される。また、ＶＴＳＭ＿ＶＯＢＳには、画像データ等のルートメニューが記録される。このＶＴＳＭ＿ＶＯＢＳはオプションである。さらに、ＶＴＳＩ＿ＢＵＰは、ＶＴＳＩのバックアップ情報である。
【００９０】
読み書き単位データＶＯＢＵは、図４Ｅに示すように、複数個のパックＰＣＫから構成される。各パックＰＣＫは、１または複数個のパケットから構成することが可能であるが、この例では、１パックは１パケットからなるものとされている。DVD+RWビデオレコーディングフォーマットでは、１パックは、２０４８バイト（１セクタに対応）と定められている。
【００９１】
この例の場合の１パックは、図４Ｆに示すようなものとなる。すなわち、パックＰＣＫの先頭はパックヘッダとされる。そして、パックヘッダの次には、パケットヘッダが位置し、パケットヘッダに続いて、画像データや音声データなどからなるパケットデータが位置する。パケットデータとして画像データが含められるパックは、ビデオパックと称する。パケットデータとして音声データが含められるパックは、オーディオパックと称する。この画像データや音声データのパケットフォーマットは、プライベート１・パケットとされている。
【００９２】
なお、この明細書において、パケットデータとして画像データが含められるパックは、ビデオパックと称し、パケットデータとして音声データが含められるパックは、オーディオパックと称する。
【００９３】
各パックのパックヘッダ内には、前述した時間基準の情報ＳＣＲが含まれる。そして、パケットヘッダの先頭は、パケット開始コードとされると共に、このパケットヘッダ内には、ＰＴＳフラグ、ＤＴＳフラグなどのフラグ情報と、タイムスタンプＰＴＳ、ＤＴＳが含まれる。ＰＴＳフラグ、ＤＴＳフラグは、当該パケット内にタイムスタンプＰＴＳ，ＤＴＳが含まれるか否かを示すものである。前述したように、タイムスタンプＰＴＳ，ＤＴＳは、パケット内にピクチャの先頭が含まれる場合に、そのパケットヘッダ内に付加される。
【００９４】
以上のようなDVD+RWビデオレコーディングフォーマットに基づいて、光ディスク１７に画像データおよび音声データが記録される。また、例えば、コンピュータにおいて、DVD+RWビデオレコーディングフォーマットで画像データおよび音声データが記録されている光ディスク１７から画像データおよび音声データを読み出す場合には、ＵＤＦエリアの情報により所望のファイルが検索されて、再生される。また、上記光ディスク１７に記録されている画像データおよび音声データがＤＶＤプレーヤにより再生される場合には、ＵＤＦエリアの情報によりＶＭＧエリアの先頭が検索され、ＶＭＧエリアの情報により所望のタイトルが検索されて再生される。
【００９５】
次に、ARI_DATA、NV_PCK、およびARI_PCKについて具体的に説明する。ARI_DATA、NV_PCK、およびARI_PCKなどの付加情報は、この例では、１ＶＯＢＵ分ごとに１パックの情報として多重化される。なお、以下の説明においては、付加情報がパケットデータとして含められるパックは、付加情報パックと称する。
【００９６】
この例では、ＧＯＰ内には、１枚のＩピクチャを含むものであるが、付加情報は、そのＩピクチャのフレームを撮像信号として取り込むときの撮影時の設定条件等の撮影時情報とされる。
【００９７】
そして、この例では、付加情報パック内の付加情報のパケットも、プライベート１・パケットの形式とされる。また、この例では、その付加情報のパケットには、対応するＩピクチャの画像データの先頭のビデオパックに付加されるタイムスタンプＰＴＳと同じタイムスタンプＰＴＳが含められる。
【００９８】
この付加情報のパックの多重化位置は、ＶＯＢＵ内の予め定められた位置とされる。定められた位置の例としては、Ｉピクチャの圧縮画像データのパック列の中（Ｉピクチャの先頭、末尾も含むものとする）とされる。通常、Ｉピクチャの画像データは、複数個のビデオパックに含められることになるが、付加情報のパックは、例えば、それらＩピクチャの複数個のビデオパックの先頭のビデオパックの前あるいは末尾のビデオパックの後が、多重化位置の例として挙げられる。
【００９９】
また、付加情報パックの多重化位置の例としては、Ｉピクチャの複数個のビデオパックの先頭や末尾ではなく、Ｉピクチャの画像データのビデオパックの先頭から数えて、特定の順位のパックの前または後ろであっても良い。さらには、ＶＯＢＵ単位で読み書きが行われるので、Ｉピクチャの近傍でなくとも、例えばＶＯＢＵ単位の最後尾の位置に付加情報パックを多重化するようにしてもよい。また、付加情報のパックは、ＶＯＢＵ内の中間の予め定められた位置に配置するようにしてもよい。
【０１００】
ただし、後述するように、変速再生時には、ＶＯＢＵ内で、Ｉピクチャ部分のみを抽出して画像再生するようにするので、以上のように、Ｉピクチャの先頭、末尾を含めたＩピクチャの中の予め定められた位置に付加情報パックを多重化することにより、当該ＶＯＢＵ内のＩピクチャのみの抽出の際に、付加情報を合わせて抽出して再生することが容易になる。
【０１０１】
図５は、１ＧＯＰ分の画像データ、音声データおよび付加情報について、それらの多重化を説明するための図である。この例では、１ＧＯＰは、１５フレーム（１５枚のピクチャ）で構成されるものとすると共に、Ｉピクチャの画像データについての撮影時情報が付加情報として多重化される。
【０１０２】
図５Ａは、画像データ、音声データおよび付加情報のそれぞれのストリームを示すものである。また、図５Ｂは、多重化されているＭＰＥＧ−ＰＳフォーマットの１ＶＯＢＵ内のストリーム構造を示している。
【０１０３】
図５Ａの画像データストリームにおいて、Ｂ，Ｉ，Ｐは、フレーム単位の画像データをピクチャタイプをも考慮して示したものであり、図中のＩはＩピクチャを、ＢはＢピクチャを、ＰはＰピクチャを、それぞれ示している。また、図５のオーディオストリームにおけるＡは、各画像フレームに対応する音声データを示している。
【０１０４】
また、図５Ａの付加情報ARI_DATAは、前述したように、この例では、１ＧＯＰ分の画像データ中のＩピクチャを取り込む際における撮影時情報からなる付加情報を示している。この例の場合、この付加情報ARI_DATAは、１ＧＯＰ期間の間では変わらないデータである。
【０１０５】
図５Ａに示されている画像データは、例えば、符号化復号部１４において、ピクチャ順の並び換えがなされた後、圧縮符号化および可変長符号化される。そして、符号化復号部１４において、各ピクチャの圧縮画像データは、図５Ｂに示すように、１または複数個のビデオパックＶ＿ＰＣＫとされて多重化される。このとき、符号化復号部１４では、各ピクチャの画像データには、再生出力の時間管理情報であるタイムスタンプＰＴＳが、各ピクチャの先頭が含まれるパケットのヘッダに含められるようにされている。
【０１０６】
なお、図５Ｂにおいて、各ビデオパックＶ＿ＰＣＫの四角枠内のＩ，Ｂ，Ｐの記号は、当該画像パック内の圧縮画像データが、Ｉピクチャ、Ｂピクチャ、Ｐピクチャのうちの、いずれのピクチャタイプの画像データであるかを示している。
【０１０７】
また、図５Ａに示されている音声データは、符号化復号部１４において、ＭＰＥＧオーディオ圧縮された後、符号化復号部１４において、所定のデータ量ごとのオーディオパックＡ＿ＰＣＫとして、図５Ｂに示すように、ビデオパックＶ＿ＰＣＫの間に多重化される。
【０１０８】
符号化復号部１４では、各音声データについても、再生出力の時間管理情報であるタイムスタンプＰＴＳが、オーディオフレームごとにパケットのヘッダに含められるようにされている。なお、一つのパケットに複数フレーム分が含まれる場合には、その先頭のフレームについてのタイムスタンプＰＴＳがパケットヘッダに挿入される。
【０１０９】
そして、図５Ａに示す付加情報ARI_DATAは、制御部１１から、ワークメモリ１５に書き込まれ、ワークメモリ１５において、１ＧＯＰごとに１個の付加情報パックARI_PCKが形成される。そして、この付加情報パックARI_PCKは、図５Ｂに示すように、この例では、ＶＯＢＵ内のＩピクチャの複数個の画像パックの先頭に多重化される。
【０１１０】
前述したように、この付加情報パックARI_PCKには、付加情報ARI_DATAがパケット化されて含まれると共に、そのパケットヘッダ内には、同じＧＯＰ内のＩピクチャの先頭のパックのパケットに含められるタイムスタンプＰＴＳと同じタイムスタンプＰＴＳが含まれている。
【０１１１】
なお、１ＧＯＰのデータが含まれるＶＯＢＵの先頭のパックNV_PCKは、ナビゲーションパックと呼ばれるもので、これには、データサーチインフォメーション（例えばジャンプ時にどのセクタまで飛ぶかを指示する制御情報）などの再生管理情報が含められている。図５Ｂに示すように、付加情報パックARI_PCKは、ナビゲーションパックNV_PCKの直後に多重化されることになる。
【０１１２】
以上説明したDVD+RWビデオレコーディングフォーマットの場合のARI_PCK内のARI_DATAの一例を図６に示す。
【０１１３】
図６において、ＲＢＰ（Ｒｅｆｅｒｅｎｃｅ Ｂｙｔｅ Ｐｏｓｉｔｉｏｎ）は、パケット内での相対バイト位置を示し、付加情報ARI_DATAの先頭を「０」としている。
【０１１４】
付加情報ARI_DATAは、図６に示すように、追加記録識別子、アプリケーション情報、記録時間情報、カメラ情報からなる。
【０１１５】
追加記録識別子は、パケット内データが付加情報（追加記録情報）であることを認識させるための識別子であり、追加記録情報データ識別子と、そのバージョン番号が記録される。
【０１１６】
アプリケーション情報には、製品の製造元であるベンダー名、製品名であるプロダクト名、アプリケーションＩＤ、開発者用データ（Ｍａｎｕｆａｃｔｕｒｅｒ’ｓ Ｉｎｆｏｒｍａｔｉｏｎ Ｄａｔａ）が含まれる。
【０１１７】
アプリケーションＩＤは、記録時の記録方式を識別するための情報であり、この例では、「００ｈ（ｈは１６進表示であることを示す。以下同じ）」は、ＤＶＤ−Ｖｉｄｅｏフォーマットでの記録であることを示し、「０１ｈ」は、ＤＶＤ−Ｖｉｄｅｏ Ｒｅｃｏｒｄｉｎｇフォーマットでの記録であることを示すものとされている。
【０１１８】
開発者用データは、開発者が自由に使用できるエリアであり、例えば開発時のデバッグ用のデータが記録される。
【０１１９】
開発者用データは、フォトムービーであるか否かを示すSVOB識別子を含む。SVOB識別子は、２バイトのID、１バイトのデータ長、および１バイトのデータ（実データ）からなる。SVOB識別子における２バイトのIDは、SVOB識別子であることを特定する識別子である。SVOB識別子における１バイトのデータ長は、SVOB識別子における実データのデータ長を示す。すなわち、SVOB識別子における１バイトのデータ長には、実データが１バイトであることを示す値が設定される。
【０１２０】
SVOB識別子における実データは、このSVOB識別子を含むARI_DATAが付加されているGOPからなるデータがフォトムービーであるか否かを示すデータである。より具体的には、０以外の値の実データは、ARI_DATAが付加されているGOPからなるデータがフォトムービーであることを示し、０である値の実データは、ARI_DATAが付加されているGOPからなるデータがフォトムービーでないことを示す。
【０１２１】
次に、記録時間情報としては、当該付加情報が含まれるＶＯＢＵについての付加情報ARI_DATAの記録時のタイムゾーン（ＶＯＢＵ＿ＬＣＬ＿ＴＭ＿ＺＯＮＥ；フィールド名。以下同じ）と、付加情報ARI_DATAの記録時間（ＶＯＢＵ＿ＲＥＣ＿ＴＭ）とが記録される。
【０１２２】
付加情報ARI_DATAの記録時間（ＶＯＢＵ＿ＲＥＣ＿ＴＭ）は、この例では、Ｉピクチャのフレームの撮影時間とされる。この例では、記録時間は、年、月、日、時、分、秒で記述される。
【０１２３】
付加情報ARI_DATAの記録時のタイムゾーン（ＶＯＢＵ＿ＬＣＬ＿ＴＭ＿ＺＯＮＥ）は、付加情報ARI_DATAの記録時間（ＶＯＢＵ＿ＲＥＣ＿ＴＭ）に対するタイムゾーンを記録する。ここで、タイムゾーンとは、ユーザが機器に設定したＵＴＣ（Ｃｏｏｒｄｉｎａｔｅｄ Ｕｎｉｖｅｒｓａｌ Ｔｉｍｅ）からのオフセット時間である。すなわち、記録装置を使用する国の時刻（ローカルタイム）に対応した時差である。
【０１２４】
付加情報ARI_DATAの記録時間（ＶＯＢＵ＿ＲＥＣ＿ＴＭ）として、ユニバーサルタイム（全世界で時刻を記録する際に使用される公式の時刻）を用いることもでき、その場合には、付加情報ARI_DATAの記録時のタイムゾーン（ＶＯＢＵ＿ＬＣＬ＿ＴＭ＿ＺＯＮＥ）は、ゼロに設定される。
【０１２５】
次に、カメラ情報として撮影時の設定条件などの情報が記録される。図６に示すように、カメラ情報としては、Ｆナンバー、露出時間、露出プログラム、露出プログラム拡張情報、露光補正値、ＡＧＣゲイン値、レンズ最小Ｆ値、フラッシュ、レンズ焦点距離、個別画像処理、ホワイトバランス、撮影シーンタイプ、フォーカスモード、被写体距離、手ぶれ補正、デジタルズーム倍率などの情報が含められている。
【０１２６】
露出プログラム（ＥＸＰ＿ＰＲＧ）には、撮影時にカメラが使用した露出プログラムのクラスが記録される。露出プログラムのクラスとしては、指定無し（Ｎｏｔ Ｓｐｅｃｉｆｉｅｄ）、マニュアル、ノーマルプログラム、プリセットの４種とされる。
【０１２７】
露出プログラム拡張情報（ＥＸＰ＿ＰＲＧ＿ＥＸ）には、撮影時にカメラが使用した露出プログラムのクラスがプリセットの場合の詳細情報を記録する。露出プログラムのクラスがプリセットでない場合には、指定無し（Ｎｏｔ Ｓｐｅｃｉｆｉｅｄ）とされる。露出プログラムのクラスがプリセットとされた場合には、ゲイン優先、シャッター優先、露出優先、のいずれかが設定される。
【０１２８】
ＡＧＣゲイン値には、信号処理系におけるＡＧＣゲインの値が記録される。また、フラッシュ（ＦＬＳ）には、フラッシュ発光、非発光、赤目防止発光、強制発光などの撮影時のストロボの状態を記録する。
【０１２９】
個別画像処理（ＣＳＴ＿ＲＥＮ）には、画像データに対して出力を考慮したレタリングなど、通常と異なる画像処理が施されていることが記録される。
【０１３０】
ホワイトバランス（ＷＨＴ＿ＢＡＬ）には、撮影時に設定されたホワイトバランスの調整モードが記録される。ホワイトバランスの調整モードとしては、「自動」、「ホールド（ＨＯＬＤ）」、「マニュアル」、「ろうそく」、「白熱灯」、「低い色温度の蛍光灯」、「高い色温度の蛍光灯」、「日光」、「曇天」、「指定無し」などが設定可能とされている。
【０１３１】
撮影シーンタイプ（ＳＣＮ＿ＣＡＰ＿ＴＹＰ）には、設定された撮影時の被写体種別が記録される。この例では、被写体種別としては、「標準」、「風景画」、「ポートレート」、「夜景」、「指定無し」が設定可能とされている。
【０１３２】
フォーカスモード（ＦＣＳ＿ＭＯＤ）には、「自動フォーカス」、「マニュアルフォーカス」、「指定無し」などの、撮影時に設定されたフォーカスモードが記録される。
【０１３３】
手ぶれ補正（ＩＭＧ＿ＳＴＢ）には、「手ぶれ補正オン」または「手ぶれ補正オフ」、「指定無し」など、手ぶれ補正機能が働いていたかどうかが記録される。
【０１３４】
デジタルズーム倍率（ＤＩＧ＿ＺＯＭ）には、撮影時に使用されたデジタルズーム倍率が記録される。デジタルズームが使用されなかったときには、「００ｈ」が記録される。
【０１３５】
位置情報（ＧＰＳ＿ＩＮＦＯ）には、ＧＰＳ受信機部６０からの（あるいは通信手段を通じて取得された）位置情報が記録される。
【０１３６】
手ぶれ補正限界（ＳＴＢ＿ＬＩＭ）には、デジタルカメラの手ぶれが補正限界を超えている場合に、そのことを示すフラグが記録される。実際にデジタルカメラの手ぶれが補正限界を超えている場合には、このフラグとして「ＦＦ（１６進表示）」が記録される。
【０１３７】
次に、図７および図８を参照して、フォトムービーの構成の例について説明する。図４は、フォトムービーである画像データの構成の例を示す図である。フォトムービーである画像データの先頭には、ナビゲーションパックNV_PCKが配置される。フォトムービーである画像データにおいて、ナビゲーションパックNV_PCKの次に、付加情報パックARI_PCKが配置される。
【０１３８】
上述したように、付加情報パックARI_PCKの開発者用データのSVOB識別子における実データには、０以外の値が設定される。
【０１３９】
フォトムービーである画像データにおいて、付加情報パックARI_PCKの次に、Ｉピクチャである画像データをそれぞれ格納する、所定の数のビデオパックＶ＿ＰＣＫが配置される。なお、ビデオパックＶ＿ＰＣＫのヘッダには、Ｉピクチャにより表示される画像の表示の開始時刻を示すタイムスタンプＰＴＳが格納される。
【０１４０】
図８は、フォトムービーにより表示される画像を説明する図である。図８において、横方向は、時間を示す。図８において、実線の四角は、フォトムービーに格納されているＩピクチャにより表示される１つのフレームを示し、点線の四角は、フォトムービーに対応するデータが格納されていない１つのフレームを示す。
【０１４１】
フォトムービーの１つのVOBUには、１つのＩピクチャが格納されている。換言すれば、フォトムービーのそれぞれのGOPは、１つのＩピクチャからなると言える。
【０１４２】
例えば、フォトムービーの最初のGOPは、Ｉピクチャであるフレーム１０１−１からなり、フォトムービーの２番目のGOPは、Ｉピクチャであるフレーム１０１−２からなり、フォトムービーの３番目のGOPは、Ｉピクチャであるフレーム１０１−３からなる。フレーム１０１−１乃至フレーム１０１−３は、同じ画像からなる。
【０１４３】
フォトムービーの４番目のGOPは、Ｉピクチャであるフレーム１０２−１からなり、フォトムービーの５番目のGOPは、Ｉピクチャであるフレーム１０２−２からなり、フォトムービーの６番目のGOPは、Ｉピクチャであるフレーム１０２−３からなる。フレーム１０２−１乃至フレーム１０２−３は、同じ画像からなる。
【０１４４】
さらに、フォトムービーの７番目のGOPは、Ｉピクチャであるフレーム１０３−１からなり、フォトムービーの８番目のGOPは、Ｉピクチャであるフレーム１０３−２からなり、フォトムービーの９番目のGOPは、Ｉピクチャであるフレーム１０３−３からなる。フレーム１０３−１乃至フレーム１０３−３は、同じ画像からなる。
【０１４５】
フォトムービーの最初のGOPの最初のフレームであるフレーム１０１−１を表示するためのＩピクチャには、例えば、０秒である時刻t1を示すタイムスタンプＰＴＳが付加されている。フォトムービーの２番目のGOPの最初のフレームであるフレーム１０１−２を表示するためのＩピクチャには、例えば、１秒である時刻t2を示すタイムスタンプＰＴＳが付加されている。フォトムービーの３番目のGOPの最初のフレームであるフレーム１０１−３を表示するためのＩピクチャには、例えば、２秒である時刻t3を示すタイムスタンプＰＴＳが付加されている。
【０１４６】
同様に、フレーム１０２−１乃至フレーム１０２−３をそれぞれ表示するためのＩピクチャのそれぞれには、例えば、３秒である時刻t4、４秒である時刻t5、５秒である時刻t6をそれぞれ示すタイムスタンプＰＴＳが付加されている。また、フレーム１０３−１乃至フレーム１０３−３をそれぞれ表示するためのＩピクチャのそれぞれには、例えば、６秒である時刻t7、７秒である時刻t8、８秒である時刻t9をそれぞれ示すタイムスタンプＰＴＳが付加されている。図示しないフレーム１０２−３の次のフレームには、９秒である時刻t10をそれぞれ示すタイムスタンプＰＴＳが付加されている。
【０１４７】
フレーム１０１−１は、タイムスタンプＰＴＳで示される０秒である時刻t1から、フレーム１０１−２に付加されたタイムスタンプＰＴＳで示される１秒である時刻t2まで、表示される。フレーム１０１−２は、タイムスタンプＰＴＳで示される１秒である時刻t2から、フレーム１０１−３に付加されたタイムスタンプＰＴＳで示される２秒である時刻t3まで、表示される。フレーム１０１−３は、タイムスタンプＰＴＳで示される２秒である時刻t3から、フレーム１０２−１に付加されたタイムスタンプＰＴＳで示される３秒である時刻t4まで、表示される。
【０１４８】
同様に、フレーム１０２−１は、時刻t4から時刻t5まで表示され、フレーム１０２−２は、時刻t5から時刻t6まで表示され、フレーム１０２−３は、時刻t6から時刻t7まで表示される。フレーム１０３−１は、時刻t7から時刻t8まで表示され、フレーム１０３−２は、時刻t8から時刻t9まで表示され、フレーム１０３−３は、時刻t9から時刻t10まで表示される。
【０１４９】
より詳細には、１秒間に３０フレームが表示されるとすると、例えば、フレーム１０１−３として、タイムスタンプＰＴＳで示される２秒である時刻t3において、Ｉピクチャを復号することにより得られたフレームが表示される。時刻t3を示すタイムスタンプＰＴＳの次のタイムスタンプは、時刻t4を示しているので、時刻t3より後のフレームであって、時刻t4の前までの２９のフレームとして、フレーム１０１−３がそのまま表示される。
【０１５０】
従って、２秒である時刻t3から３秒である時刻t4まで、フレーム１０１−３が静止画像として表示されているように見える。
【０１５１】
上述したように、フレーム１０１−１乃至フレーム１０１−３が、同じ画像からなり、フレーム１０２−１乃至フレーム１０２−３が、同じ画像からなり、フレーム１０３−１乃至フレーム１０３−３が、同じ画像からなるので、０秒である時刻t1から３秒である時刻t4の前まで、１つの静止画像が表示され、３秒である時刻t4から６秒である時刻t7の前まで、次の１つの静止画像が表示され、６秒である時刻t7から９秒である時刻t10の前まで、さらに次の１つの静止画像が表示されることになる。
【０１５２】
次に、ドライブ１６に光ディスク１７を装着した場合、または記録再生装置を起動した場合実行されるフォトムービーの削除の処理を図９のフローチャートを参照して説明する。ステップＳ３１において、記録再生制御部７１の種別判定部８４は、ドライブ１６に装着されている光ディスク１７を認識する。すなわち、ステップＳ３１において、種別判定部８４は、ドライブ１６から、光ディスク１７の物理的な種別および光ディスク１７のフォーマットの方式を特定する情報を取得することにより、光ディスク１７を認識する。
【０１５３】
ここで、光ディスク１７の物理的な種別とは、例えば、DVD+RW、DVD+R、DVD-RW、DVD-Rなどの光ディスク１７の物理的な構成から定まる種別をいう。また、光ディスク１７のフォーマットの方式とは、光ディスク１７のアプリケーションレベルのフォーマットの方式をいう。
【０１５４】
ステップＳ３２において、種別判定部８４は、光ディスク１７の物理的な種別がDVD+RWであり、光ディスク１７のフォーマットの方式がDVD+RWビデオレコーディングフォーマットであるか否かを判定し、光ディスク１７の物理的な種別がDVD+RWであり、光ディスク１７のフォーマットの方式がDVD+RWビデオレコーディングフォーマットであると判定された場合、ステップＳ３３に進み、再生制御部８２は、光ディスク１７の最後のチャプタの先頭のVOBUのARI_DATAを読み出す。すなわち、ステップＳ３３において、再生制御部８２は、光ディスク１７の論理的な記録空間の最も後ろに記録されているデータの属性を示す属性データであるARI_DATAを光ディスク１７からの読み出す。
【０１５５】
ステップＳ３４において、データ方式判定部８６は、読み出されたARI_DATAを基に、光ディスク１７の最後のチャプタにフォトムービーが記録されているか否かを判定する。すなわち、ステップＳ３４において、データ方式判定部８６は、読み出された属性データであるARI_DATAを基に、データ記録媒体である光ディスク１７に記録されているデータが、１つの静止画像を予め定めた時間表示させるか、または複数の静止画像のそれぞれを予め定めた時間毎に、予め定めた順序で表示させるための表示データであるフォトムービーであるか否かを判定する。
【０１５６】
より具体的には、ARI_DATA解読部８５は、読み出されたARI_DATAを解読し、解読の結果に応じた、光ディスク１７の最後のチャプタに記録されているデータの種別を示すデータを生成し、データ方式判定部８６に供給する。ここで、データの種別とは、フォトムービーまたは動画像を表示するためのデータなどの種別をいう。そして、データ方式判定部８６は、ARI_DATA解読部８５から供給された、光ディスク１７の最後のチャプタに記録されているデータの種別を示すデータを基に、光ディスク１７の最後のチャプタにフォトムービーが記録されているか否かを判定する。
【０１５７】
ステップＳ３４において、光ディスク１７の最後のチャプタにフォトムービーが記録されていると判定された場合、ステップＳ３５に進み、表示制御部８８は、フォトムービーを削除するかを問い合わせるダイアログを、入出力信号制御部１３に接続されている表示装置（図示せず）に表示させる。
【０１５８】
図１０は、表示制御部８８が入出力信号制御部１３に接続されている表示装置に表示させる、フォトムービーを削除するかを問い合わせるダイアログの例を示す図である。ダイアログには、”フォトムービーを削除しますか？”などの文が表示される。
【０１５９】
ステップＳ３６において、入力制御部８７は、入力部１２から供給された、ユーザの指令を示す信号を基に、ユーザからの指示を取得する。例えば、図１０に示される、ダイアログの例の”はい”と表示されているボタンが選択された場合、入力制御部８７は、フォトムービーを削除することを示すユーザからの指示を取得することになる。逆に、図１０に示される、ダイアログの例の”いいえ”と表示されているボタンが選択された場合、入力制御部８７は、フォトムービーを削除しないことを示すユーザからの指示を取得することになる。
【０１６０】
ステップＳ３７において、入力制御部８７は、ユーザから削除が指示されたか否かを判定し、ユーザから削除が指示されたと判定された場合、ステップＳ３８に進み、削除制御部８３は、ドライブ１６を制御して、光ディスク１７の最後のチャプタのフォトムービーを削除して、処理は終了する。光ディスク１７の最後のチャプタのフォトムービーを削除した場合、記録再生制御部７１は、光ディスク１７に追記をする状態に遷移する。
【０１６１】
一方、ステップＳ３７において、ユーザからフォトムービーを削除しないと指示された場合、すなわち、ユーザから削除が指示されていないと判定された場合、光ディスク１７の最後のチャプタのフォトムービーを削除しないで、ステップＳ３９に進み、記録再生制御部７１は、光ディスク１７に追記をしない状態に遷移して、処理は終了する。
【０１６２】
ここで、光ディスク１７に追記をしない状態は、光ディスク１７に追記をする処理を実行しない状態だけでなく、ユーザからの光ディスク１７への追記の指示を受け付けない状態を含む。
【０１６３】
ステップＳ３４において、光ディスク１７の最後のチャプタにフォトムービーが記録されていないと判定された場合、フォトムービーを削除する必要はないので、ステップＳ３５乃至ステップＳ３９の処理はスキップされ、処理は終了する。
【０１６４】
ステップＳ３２において、光ディスク１７の物理的な種別がDVD+RWでないか、または、光ディスク１７のフォーマットの方式がDVD+RWビデオレコーディングフォーマットでないと判定された場合、フォトムービーを削除する必要はないので、ステップＳ３３乃至ステップＳ３９の処理はスキップされ、処理は終了する。
【０１６５】
このように、ドライブ１６に光ディスク１７を装着した場合、または記録再生装置を起動した場合、光ディスク１７の論理的な記録空間（記録領域）の最も後ろに記録されているデータが、１つの静止画像を予め定めた時間表示させるか、または複数の静止画像のそれぞれを予め定めた時間毎に、予め定めた順序で表示させるためのフォトムービーであるとき、フォトムービーが削除される。
【０１６６】
従来、光ディスク１７の記録領域の最後にだけフォトムービーを記録するように、光ディスク１７に記録されているデータの配置を定めているような場合、このような配置を維持するためには、従来、ユーザが、いちいち、光ディスク１７の論理的な記録空間（記録領域）の最も後ろにフォトムービーが記録されているかを確認して、フォトムービーが記録されているとき、ユーザが操作をすることにより、このフォトムービーを削除しなければならなかった。
【０１６７】
これに対して、本発明の記録再生装置によれば、光ディスク１７の記録領域の最後にだけフォトムービーを記録するように、光ディスク１７に記録されているデータの配置を定めているような場合、ドライブ１６に光ディスク１７を装着したとき、または記録再生装置を起動したとき、ユーザに面倒な操作を要求することなく、即座に、その光ディスク１７に所望のデータを追記することができるようになる。
【０１６８】
図１１は、記録再生装置による再生の処理を説明するフローチャートである。ステップＳ７１において、再生制御部８２は、再生が指示されたチャプタの先頭のVOBUのARI_DATAを読み出す。
【０１６９】
ステップＳ７２において、再生制御部８２は、再生が指示されたチャプタの再生を開始する。より具体的には、再生制御部８２は、ドライブ１６に、装着されている光ディスク１７からの、再生が指示されたチャプタの画像データの読み出しを開始させる。光ディスク１７から読み出された画像データは、ワークメモリ１５に一時的に記憶される。そして、再生制御部８２は、符号化復号部１４に、ワークメモリ１５に一時的に記憶されている画像データであって、符号化されている画像データの復号を開始させる。
【０１７０】
ステップＳ７３において、再生制御部８２は、読み出したARI_DATAを基に、再生が開始された画像データがフォトムービーであるか否かを判定し、フォトムービーであると判定された場合、ステップＳ７４に進み、フォトムービーであることを示すアイコン（の画像データ）の、再生された画像への重畳を開始し、ステップＳ７５に進む。例えば、フォトムービーであることを示すアイコンは、スチルカメラの形状を模した画像とすることができる。また、フォトムービーであることを示すアイコンの画像データは、ROM３２に予め記憶されている。
【０１７１】
より具体的には、ARI_DATA解読部８５は、ステップＳ７１の処理で読み出されたARI_DATAを解読し、解読の結果に応じた、光ディスク１７のチャプタのうち、再生が指示されたチャプタに記録されているデータの種別を示すデータを生成し、再生制御部８２に供給する。再生制御部８２は、ARI_DATA解読部８５から供給されたデータの種別を示すデータを基に、光ディスク１７の再生が指示されたチャプタにフォトムービーが記録されているか否かを判定する。
【０１７２】
フォトムービーであると判定された場合、再生制御部８２は、ROM３２に予め記憶されているフォトムービーであることを示すアイコンの画像データを読み出し、読み出した画像データを入出力信号制御部１３に供給する。再生制御部８２は、入出力信号制御部１３に、アイコンの画像データを、再生された画像、すなわち、符号化復号部１４から供給された復号された画像データに重畳させる。
【０１７３】
ステップＳ７３において、再生が開始された画像データがフォトムービーでないと判定された場合、ステップＳ７４の処理はスキップされ、手続きは、ステップＳ７５に進む。
【０１７４】
ステップＳ７５において、再生制御部８２は、再生された画像の表示を開始し、処理は終了する。より具体的には、再生制御部８２は、入出力信号制御部１３に接続されている表示装置に再生された画像を表示するためのデータを供給して、表示装置に画像を表示させる。
【０１７５】
このように、再生された画像データがフォトムービーである場合、OSD（On Screen Display）として、表示される画像に、フォトムービーであることを示すアイコンが重畳して表示され、再生された画像データがフォトムービーでない場合、表示される画像に、フォトムービーであることを示すアイコンは重畳されないので、画像データの種別に応じて、正確に、ユーザにその種別を識別させることができるようになる。
【０１７６】
次に、編集の制限について説明する。図１２は、記録再生装置による編集の制限の処理を説明するフローチャートである。ステップＳ９１において、記録再生制御部７１は、編集が指示されたチャプタの先頭のVOBUのARI_DATAを読み出す。
【０１７７】
ステップＳ９２において、記録再生制御部７１は、読み出したARI_DATAを基に、編集が指示されたチャプタの画像データがフォトムービーであるか否かを判定し、フォトムービーであると判定された場合、ステップＳ９３において、チャプタの分割を禁止する状態に遷移して、処理は終了する。チャプタの分割を禁止する状態は、チャプタを分割する処理を実行しない状態だけでなく、ユーザによる入力部１２への操作を無効にしたり（入力部１２からの信号を無視したり）、OSD上の編集画面における分割を指示する分割ボタンを無効にしたりするなど、ユーザからのチャプタの分割の指示を受け付けない状態を含む。
【０１７８】
ステップＳ９２において、編集が指示されたチャプタの画像データがフォトムービーでないと判定された場合、ステップＳ９４に進み、チャプタの分割を許可する状態に遷移して、処理は終了する。
【０１７９】
このように、画像データである編集の対象に応じて、確実に、画像データに対する編集を制限することができるようになる。
【０１８０】
なお、ステップＳ９３において、記録再生制御部７１は、フォトムービーに対してのみ適用される機能の実行を許可するようにしてもよい。
【０１８１】
また、光ディスク１７が、DVD-ビデオレコーディング（VIDEO RECORDING）フォーマット（以下、DVD-VRフォーマットと称する）でフォーマットされている場合、フォトムービーは、VR_STILL.VRO方式のファイルに格納される。従って、DVD-VRフォーマットにおいて、ファイル方式により、フォトムービーの画像データであるか、動画像の画像データであるかを識別することができる。
【０１８２】
しかしながら、機器によっては、VR_STILL.VRO方式のファイルに、フォトムービー以外のデータを格納することを許可している。
【０１８３】
従って、単に、VR_STILL.VRO方式のファイルであるか否かで、フォトムービーであるか否かを判定すると、フォトムービー以外のデータに対して、フォトムービーで許可されている処理を適用したり、フォトムービーで禁止されている処理を実行できないという問題が生じてしまう場合がある。
【０１８４】
そこで、DVD-VRフォーマットでフォーマットされている光ディスク１７に記録されているデータに対応させてARI_DATAを光ディスク１７に記録することにより、光ディスク１７に記録されているデータが、フォトムービーであるか否かをより正確に識別することができるようになる。なお、DVD-VRフォーマットにおいて、ARI_DATAは、DVD+RWビデオレコーディングフォーマットのNV_PCKに相当する、RDI_PCKの開発者用データ（Ｍａｎｕｆａｃｔｕｒｅｒ’ｓ Ｉｎｆｏｒｍａｔｉｏｎ Ｄａｔａ）内に格納される。
【０１８５】
なお、フォトムービーは、光ディスク１７に記録されると説明したが、光ディスク１７に限らず、磁気ディスク４１、光磁気ディスク４２、または半導体メモリ４３に記録するようにしてもよい。フォトムービーを磁気ディスク４１、光磁気ディスク４２、または半導体メモリ４３に記録した場合であっても、上述した処理と同様の処理を実行することができる。
【０１８６】
このように、光ディスクに記録されているデータの属性を示す属性データの光ディスクからの読み出しを制御するようにした場合には、光ディスクに記録されているデータを識別することができる。また、光ディスクに記録されているデータの属性を示す属性データの光ディスクからの読み出しを制御し、読み出された属性データを基に、光ディスクに記録されているデータが、１つの静止画像を予め定めた時間表示させるか、または複数の静止画像のそれぞれを予め定めた時間毎に、予め定めた順序で表示させるための表示データであるか否かを判定し、光ディスクに記録されているデータが表示データであると判定された場合、光ディスクから表示データを削除するように、光ディスクからのデータの削除を制御するようにした場合には、ユーザに煩わしい操作を要求することなく、光ディスクに記録されているデータの、光ディスク上の相互の配置を維持することができる。
【０１８７】
上述した一連の処理は、ハードウェアにより実行させることもできるが、ソフトウェアにより実行させることもできる。一連の処理をソフトウェアにより実行させる場合には、そのソフトウェアを構成するプログラムが、専用のハードウェアに組み込まれているコンピュータ、または、各種のプログラムをインストールすることで、各種の機能を実行することが可能な、例えば汎用のパーソナルコンピュータなどに、記録媒体からインストールされる。
【０１８８】
この記録媒体は、図１に示すように、コンピュータとは別に、ユーザにプログラムを提供するために配布される、プログラムが記録されている磁気ディスク４１（フレキシブルディスクを含む）、光ディスク１７（CD-ROM(Compact Disc-Read Only Memory)、ＤＶＤ(Digital Versatile Disc)を含む）、光磁気ディスク４２（ＭＤ(Mini-Disc)（商標）を含む）、若しくは半導体メモリ４３などよりなるパッケージメディアにより構成されるだけでなく、コンピュータに予め組み込まれた状態でユーザに提供される、プログラムが記録されているROM３２や、図示せぬハードディスクなどで構成される。
【０１８９】
なお、上述した一連の処理を実行させるプログラムは、必要に応じてルータ、モデムなどのインターフェースを介して、ローカルエリアネットワーク、インターネット、デジタル衛星放送といった、有線または無線の通信媒体を介してコンピュータにインストールされるようにしてもよい。
【０１９０】
また、本明細書において、記録媒体に格納されるプログラムを記述するステップは、記載された順序に沿って時系列的に行われる処理はもちろん、必ずしも時系列的に処理されなくとも、並列的あるいは個別に実行される処理をも含むものである。
【図面の簡単な説明】
【０１９１】
【図１】本発明に係る記録再生装置の一実施の形態の構成を示すブロック図である。
【図２】プログラムを実行するプロセッサにより実現される機能である記録再生制御部の構成を示すブロック図である。
【図３】フォトムービーの記録の処理を説明するフローチャートである。
【図４】DVD+RWビデオレコーディングフォーマットを説明する図である。
【図５】ARI_DATA、NV_PCK、およびARI_PCKを説明する図である。
【図６】ARI_DATAを説明する図である。
【図７】フォトムービーの例を説明する図である。
【図８】フォトムービーの例を説明する図である。
【図９】フォトムービーの削除の処理を説明するフローチャートである。
【図１０】ダイアログの例を示す図である。
【図１１】再生の処理を説明するフローチャートである。
【図１２】編集の制限の処理を説明するフローチャートである。
【符号の説明】
【０１９２】
１１  制御部，  １２  入力部，  １３  入出力信号制御部，  １４  符号化復号部，  １５  ワークメモリ，  １６  ドライブ，  １７  光ディスク，  ３１  プロセッサ，  ３２  ＲＯＭ，  ３３  ＲＡＭ，  ４１  磁気ディスク，  ４２  光磁気ディスク，  ４３  半導体メモリ，  ７１  記録再生制御部，  ８１  記録制御部，  ８２  再生制御部，  ８３  削除制御部，  ８４  種別判定部，  ８５  ARI_DATA解読部，  ８６  データ方式判定部，  ８７  入力制御部，  ８８  表示制御部
【図１】
2006186913.tif 000003
【図２】
2006186913.tif 000004
【図３】
2006186913.tif 000005
【図４】
2006186913.tif 000006
【図５】
2006186913.tif 000007
【図６】
2006186913.tif 000008
【図７】
2006186913.tif 000009
【図８】
2006186913.tif 000010
【図９】
2006186913.tif 000011
【図１０】
2006186913.tif 000012
【図１１】
2006186913.tif 000013
【図１２】
2006186913.tif 000014